(57)【特許請求の範囲】
【請求項１】
床面上を移動可能な移動什器と、床面上に立設され前記移動什器を収容する収容部を有する固定什器とを備えた什器システムであって、
前記固定什器は、該移動什器を前記収容部に向かって案内する案内部と、
前記収容部を示す表示部とを有し、
前記収容部は、床面上に立設する脚部と、該脚部に支持された天板とにより形成され、
前記表示部は、前記天板の上面に設けられていることを特徴とする什器システム。
【請求項２】
請求項１に記載の什器システムにおいて、
前記案内部は、前記固定什器の前記収容部を形成する前記天板の下面から垂下していることを特徴とする什器システム。
【請求項３】
請求項１又は２に記載の什器システムにおいて、
前記案内部は、前記左右方向に間隔をおいて一対設けられ、
該一対の案内部は、前記移動什器を導入する導入部において該移動什器の幅寸法よりも大きい離間寸法を有するとともに、先端部に向かうに従い漸次離間寸法を小とする導入部を有することを特徴とする什器システム。
【請求項４】
請求項３に記載の什器システムにおいて、
前記一対の案内部は、前記先端部において前記移動什器の幅寸法に略等しい離間寸法とされていることを特徴とする什器システム。
【請求項５】
請求項３又は４に記載の什器システムにおいて、
前記固定什器には、前記収容部及び前記一対の案内部が隣接して複数形成されていることを特徴とする什器システム。
【請求項６】
請求項１から５に記載の什器システムにおいて、
前記固定什器は、前記移動什器に係合し、前記収容部に向かう前後方向に該移動什器を位置決めする係合部を有することを特徴とする什器システム。
【請求項７】
請求項１から６に記載の什器システムにおいて、
前記移動什器は、その上部に天板を備え、該天板の下方に前記固定什器の前記天板を挿入可能な凹部を形成していることを特徴とする什器システム。
【発明の詳細な説明】
【技術分野】
【０００１】
本発明は、本発明は、移動什器を固定什器に位置決めして載置可能な什器システムに関する。
【背景技術】
【０００２】
従来より、電子部品等を載置したり収納したりすることができ、かつ移動自在な多目的カートが、オフィス等又は一般家庭の居住空間において室内等に設置された固定什器等と組み合わせて什器システムとして広く利用されている。かかる什器システムには、室内空間使用の効率化の観点から、該移動什器を固定什器に組み込んで載置できるように構成されているものがあり、かかる什器システムとしては、例えば下記特許文献１〜４に記載されたものが提案されている。
【０００３】
これらの什器システムは、固定什器に設けられた収容空間に移動什器の一部を収容させたり、移動什器に形成された凹部に固定什器の天板を収容させるとともに、固定什器の収容部に移動什器の収容部を収容させたりすることにより、什器システムによる室内の占有率を抑えるように構成されている。
【先行技術文献】
【特許文献】
【０００４】
【特許文献１】特開２００１−２３８１５１号公報
【特許文献２】特開２００１−３４６６３９号公報
【特許文献３】特開２００８−０１７９２９号公報
【特許文献４】特開２００９−２７９４１４号公報
【発明の概要】
【発明が解決しようとする課題】
【０００５】
しかし、上記従来の什器システムによれば、固定什器の収容部に移動什器を組み込んで載置する際に移動什器の位置決めがされていないため、複数の移動什器が固定什器に載置される場合には、移動什器を整列させて配置させるのが困難で乱雑に配置されることがあり、収容されるべき移動什器を収容させるために、既に固定什器に組み込まれた不整然には位置された移動什器を整列し直さなければならず不便であるという問題があった。
【課題を解決するための手段】
【０００６】
本発明に係る什器システムは、上記課題を解決するために以下の手段を提供している。
１）本発明の什器システムは、床面上を移動可能な移動什器と、床面上に立設され前記移動什器を収容する収容部を有する固定什器とを備えた什器システムであって、前記固定什器は、該移動什器を前記収容部に向かって案内する案内部と、前記収容部を示す表示部とを有し、前記収容部は、床面上に立設する脚部と、該脚部に支持された天板とにより形成され、前記表示部は、前記天板の上面に設けられていることを特徴とする。
この発明に係る什器システムによれば、移動什器が固定什器の案内部によって収容部に向かって案内されるため、複数の移動什器を固定什器に対して整列させて設置させやすく、一の移動什器を設置するために他の移動什器の位置を調整し直す手間を省けるという効果を奏する。
【０００７】
２）上記什器システムにおいては、前記案内部は、前記固定什器の前記収容部を形成する前記天板の下面から垂下していることが好ましい。
この発明によれば、案内部が収容部を形成する天板の下面から下方に垂下して設けられているため、該案内部が外部に露呈しにくく、什器としての体裁を良好にすることができるという効果を奏する。
【０００８】
３）また、上記什器システムにおいては、前記案内部は、前記左右方向に間隔をおいて一対設けられ、該一対の案内部は、前記移動什器を導入する導入部において該移動什器の幅寸法よりも大きい離間寸法を有するとともに、先端部に向かうに従い漸次離間寸法を小とする導入部を有することが好ましい。
この発明によれば、案内部が左右方向に一対設けられているため、移動什器の固定什器への案内がより簡便になるとともに、一対の案内部の導入部の離間寸法が移動什器の幅寸法よりも大寸法に形成されているため、移動什器を案内部の前記導入部に大まかに進入させるだけで案内部に沿って固定什器の収容部に確実に収容させることができ、高精度な位置決めが不要となるという効果を奏する。
【０００９】
４）また、上記什器システムにおいては、前記一対の案内部は、前記先端部において前記移動什器の幅寸法に略等しい離間寸法とされていることが好ましい。
この発明によれば、案内部の先端部が移動什器の幅寸法に略等しい離間寸法とされているため、移動什器を固定什器の左右方向により確実に位置決めすることができるという効果を奏する。
【００１０】
５）また、上記什器システムにおいては、前記固定什器には、前記収容部及び前記一対の案内部が隣接して複数形成されていることが好ましい。
この発明によれば、固定什器に複数の移動什器を確実に位置決めして容易に整列、設置することができるという効果を奏する。  
【００１１】
６）また、上記什器システムにおいては、前記固定什器には、前記収容部を示す表示部が設けられていることが好ましい。
この発明によれば、表示部により、移動什器が固定什器に収容される収容部を容易に把握することができるため、より容易かつ確実に移動什器を固定什器に収容することができるという効果を奏する。
【００１２】
７）また、上記什器システムにおいては、前記固定什器は、前記移動什器に係合し、前記収容部に向かう前後方向に該移動什器を位置決めする係合部を有することが好ましい。
この発明によれば、移動什器が固定什器に対して前後方向に位置決めされるため、移動什器が固定什器の収容部内に入り込み過ぎることを防止して、移動什器をより適切な位置に設置することが可能となるという効果を奏する。
【００１３】
８）また、上記什器システムにおいては、前記移動什器を前記収容部に向かって案内する案内部と、前記収容部を示す表示部とを備え、前記収容部は、床面上に立設する脚部と、該脚部に支持された天板とにより形成され、前記表示部は、前記天板の上面に設けられていることが好ましい。
この発明によれば、移動什器を固定什器の天板と脚部とにより形成された収容部に容易かつ簡便に収納させて設置することができ、また移動什器を固定什器に位置決めすることができるという効果を奏する。
【００１４】
９）また、上記什器システムにおいては、前記移動什器は、その上部に天板を備え、該天板の下方に前記固定什器の前記天板を挿入可能な凹部を形成していることが好ましい。
この発明によれば、移動什器の凹部に固定什器の天板を挿入して移動什器を固定什器に設置することができるため、固定什器に移動什器を収容させた状態においても移動什器の天板において作業を行うことができるという効果を奏する。
【発明の効果】
【００１５】
本発明に係る什器システムによれば、移動什器が固定什器の案内部によって収容部に向かって案内されるため、複数の移動什器を固定什器に対して整列させて設置させやすく、一の移動什器を設置するために他の移動什器の位置を調整し直す手間を省けるという効果を奏する。
【図面の簡単な説明】
【００１６】
【図１】は、本発明の第１の実施の形態として示した什器システムを示した斜視図である。
【図２】は、本発明の第１の実施の形態として示した什器システムの固定什器に移動什器を収容させた状態を示した側面図である。
【図３】は、本発明の第１の実施の形態として示した什器システムのカートを示した図であり、（ａ）は同カートの側面図、（ｂ）は同カートの正面図である。
【図４】は、図２に示した什器システムをＹ−Ｙ線において矢視した図である。
【図５】は、本発明の第１の実施の形態として示した什器システムの給電装置を示した拡大斜視図である。
【図６】は、図５に示す給電部のスイッチ部を示した平面図である。
【図７】は、本発明の第１の実施の形態として示した什器システムの電源装置の接続構成を模式的に示した図である。
【図８】は、本発明の第１の実施の形態として示した什器システムの除去手段を示す図であって、（ａ）は、給電装置及び受電装置付近を拡大して示した側面図であり、（ｂ）は、該除去手段を説明した図である。
【図９】は、本発明の参考例として示した什器システムの斜視図である。
【図１０】は、本発明の第２の実施の形態として示した什器システムを示す図であって、（ａ）は、給電装置及び受電装置付近拡大して示した側面図であり、（ｂ）は、（ａ）の受電装置の動作についての説明図である。
【図１１】は、本発明の第３の実施の形態として示した什器システムの除去手段を示す図であって、（ａ）は、給電装置及び受電装置付近を拡大して示した側面図であり、（ｂ）は、該除去手段を説明した図である。
【発明を実施するための形態】
【００１７】
以下、本発明の実施の形態による什器システムについて、図面に基づいて説明する。
【００１８】
（第１の実施の形態）
図１乃至図４に示すように、本発明の第１の実施の形態による什器システムＡ１は、例えば病院や介護施設等のナースステーションに設けられるものであってカート２を位置決めする第１及び第２の係合部を有するテーブル１（固定什器）と、テーブル１と組合せて使用可能であり、そのテーブル１から離れて床面Ｆ上を走行させて使用することが可能なカート２（移動什器）とを備えるとともに、カート２をテーブル１に組み合わせて使用する位置（以下「組み合わせ位置Ｒ」という）において、テーブル１に具備した給電装置３０からカート２に具備した受電装置４０へ非接触給電を行える電源装置１０を備えている。
ここで、以下の説明では、テーブル１に対してカート２が近接離反する方向を「前後方向Ｘ」とし、またテーブル１に向かって手前側（カート２側）を「前側」とし、テーブル１に向かって奥側を「後側」とする。
【００１９】
図１に示すように、テーブル１は、床面Ｆに設置された状態で固定され、一対の逆Ｔ字形の脚部１２Ａ、１２Ｂにより下方より支持された固定側天板１１を具備し、その固定側天板１１の下方に複数のカート２の一部を収容可能な収容部１３を有している。つまり、図２に示す側面視で、固定側天板１１が脚部１２Ａ、１２Ｂの上端支持部１２ａから略水平方向に張り出した構成となっており、脚部１２Ａ、１２Ｂから張り出した固定側天板１１の下方が収容部１３となっている。
【００２０】
固定側天板１１は、平面視で略長方形状をなし、その中央部には電源用開口１１ｃを有し、そこに上面が開いた電源収容ボックス１４が嵌合されている。電源収容ボックス１４には、固定側天板１１の上方から接続可能なコンセント３が収容され、このコンセント３から後述する給電装置３０の電源が取れるようになっている。なお、脚部１２Ａ、１２Ｂは、それぞれ固定側天板１１の対向する短辺側に寄った位置に設けられている。
【００２１】
また、固定側天板１１の下面１１ｂ、すなわち収容部１３の天面には、給電装置３０が複数取り付けられている。この給電装置３０の詳細に関しては、カート２に設けられる受電装置４０とともに後述する。
【００２２】
図３は、カート２を示す図であり、（ａ）はカート２を側面視した図、（ｂ）はカート２を正面視した図である。
カート２は、図３（ａ）、（ｂ）に示すように、床面Ｆ上を走行可能な走行手段であるキャスター２６を備えた架台２１と、架台２１の上に設置されて物品を収容可能な収納部２２と、収納部２２の上方に設けられて上面に情報端末などの電子機器を載置可能な移動側天板２０とを備えて概略構成され、図１に示すテーブル１の組み合わせ位置Ｒにおいて使用されるとともに、該組み合わせ位置Ｒから離脱させて所望の位置に移動させて使用されるものである。
【００２３】
収納部２２は、架台２１上の左右側縁に立設した側面視倒立Ｕ字形をなす１対の側面枠２３、２３により構成されている。各側面枠２３は、前側に設けられた前部支柱２３１と、後側に設けられた後部支柱２３２と、前部支柱２３１の上端から後側に向けて水平に延び、かつ後部支柱２３２に連結された横桟２３３とにより枠組みされている。
【００２４】
横桟２３３、２３３の後側には、カート２がテーブル１の後述する給電位置Ｋに位置した際に、カート２を該組み合わせ位置Ｒに保持する係合穴Ｐが左右方向外側に形成されている。
上下方向を向く前部支柱２３１及び後部支柱２３２は、カート２の操作時に、障害物等との衝突による収容物の破損を防止する保護部材となる。前後両支柱２３１、２３２間には、複数のワイヤー部材２３４が上下に所望の間隔をもって前後方向に沿って架設されている。 
【００２５】
左右の側面枠２３、２３は、その上部間が、連結板２４により連結されている。
また、左右の側面枠２３、２３間には、受電装置４０を収容するカバー体４４が設けられている。カバー体４４は、その上部を構成する上板２５ａが、側面枠２３の横桟２３３と略等しい高さとなるようにして、横桟２３３に固定されている。
【００２６】
収納部２２内には、物品を収容可能な上下２段のトレイ１８、１８が左右の側面枠２３、２３間に亘って配設されており、各トレイ１８は、各側面枠２３における前後両支柱２３１、２３２間に架設されたワイヤー部材２３４によって着脱自在に支持されている。
【００２７】
左右の後部支柱２３２、２３２における各々の上部には、収納部２２の上面より上方に離間する位置において、円弧状をなして前側に折曲させることにより、円弧状の折曲部と、前向部とが形成され、この折曲部により、カート操作用のハンドル部２７、２７が、また前向部により、天板支持部２８、２８がそれぞれ形成されている。左右の両天板支持部２８、２８上には、移動側天板２０が載置され、かつ固定されている。
これにより、収納部２２の上部を構成する横桟２３３と、左右の天板支持部２８、２８および移動側天板２０の下面２０ｂとの間には、後側および前後方向に直交する左右方向両側に開口するとともに、前側がハンドル部２７によって閉鎖された凹部２９が形成されている。
【００２８】
この凹部２９には、図２に示すように、テーブル１の固定側天板１１が進入可能となっている。すなわち、凹部２９が形成された高さ方向の位置がテーブル１の固定側天板１１と略等しくなるように形成されているとともに、固定側天板１１が挿入可能となるように天板支持部２８、２８と横桟２３３、２３３との上下方向の離間寸法が設定されている。
凹部２９にテーブル１の固定側天板１１が挿入された場合、収納部２２が、テーブル１の固定側天板１１の下方に形成された収容部１３に潜入し、カート２の移動側天板２０および天板支持部２８、２８が、テーブル１の固定側天板１１の上方に位置して、カート２は移動側天板２０上にパソコン等を載置させたまま、カート２の収納部２２をテーブル１の固定側天板１１の下方に潜入させて使用することができる組み合わせ位置Ｒに位置することになる。
【００２９】
図３（ａ）に示すように、受電装置４０の上板２５ａの所定位置には、上方に向けて突出する凸部５１が設けられている。この凸部５１は、図５に示すように、給電装置３０のスイッチ部３２をオンオフするためのスイッチ機構の一方を構成するものであり、詳しくは後述する。
【００３０】
一方、図２に示すように、移動側天板２０の下面２０ｂには、凸部５１よりも前側に設けられ、前記組み合わせ位置Ｒで固定側天板１１の縁端部１１ｄに当接するストッパー５２が下方に突出している。
このストッパー５２は、例えばゴム等の軟質部材により構成されたものであり、凹部２９にテーブル１の固定側天板１１が進入してカート２が組み合わせ位置Ｒに至ったときに、テーブル１の固定側天板１１の縁端部１１ｄと柔軟に係合してテーブル１の固定側天板１１が進入する奥行きを規制している。
【００３１】
図１に示すように、移動側天板２０は、テーブル１に対する組み合わせ位置Ｒにおいて、固定側天板１１の上面１１ａに高さ方向の間隔をもった所定位置で重なるようになっている。この移動側天板２０は、上面２０ａにパソコン等の電子機器を載せてカート２の前方側から作業を行うことが可能であり、天板２０に載置した電子機器が後側に落下しないように後方側外周部２０ｃが上方に向けて突出している。
【００３２】
さらに、図１に示すように、側面枠２３、２３の上部には、横桟２３３、２３３の間に亘ってボックス形状の受電装置４０（詳しくは後述する）が配置固定されている。そして、移動側天板２０の所定位置には挿通孔２０ｄが厚さ方向に貫通して設けられており、これにより受電装置４０の出力側のコンセントのケーブルが上板２５ａ側から移動側天板２０の上方へ向けて挿通されている。
【００３３】
さらに、固定側天板１１の下面１１ｂには、この下面１１ｂから垂下して形成され、すなわち、下面１１ｂの前側から垂下し後側に延在した後再び下面１１ｂに向かって折曲して形成され、カート２を移動させて凹部２９に固定側天板１１を進入させるときにカート２を案内する一対のカートガイド部材１６（案内部）が設けられている。
【００３４】
図４に示すように、カートガイド部材１６、１６は、テーブル１における組み合わせ位置Ｒの両側方に配設された一対の棒状の部材で、平面視した場合、それぞれ延在方向の途中で屈曲している。一対のカートガイド部材１６、１６は、互いの離間寸法Ｌが、前側となる基端１６ａにおいてカート２の左右方向の外幅寸法Ｂ、すなわち側面枠２３、２３同士の外幅寸法よりも大きいとともに、後側となる先端側に向かうに従って次第に小さくなり、屈曲点１６ｂにおいてカート２の左右方向の外幅寸法Ｂと略等しくなり、先端部まで延設されている。この基端１６ａから屈曲点１６ｂまではカートガイド部材１６、１６がカート２を導入する際の導入部となっている。
このカートガイド部材１６、１６の先端部は、カート２の左右の外幅寸法Ｂと略同一寸法か、僅かに遊び部分を持たせた寸法に形成され、テーブル１の左右方向の移動を規制している。
【００３５】
また、カートガイド部材１６、１６には、バネによってガイド部材１６の表面から出没自在な駒Ｑが設けられており、カート２がテーブル１の組み合わせ位置Ｒないし給電位置Ｋに位置した際に横桟２３３に形成された係合穴Ｐに対向して該係合穴Ｐに係合するようになっている。
【００３６】
また、図１に示すように、固定側天板１１の上面１１ａには、カートガイド部材１６、１６に対応して、カート２の収納位置を示すライン（表示部）９０、９０がインクにより引かれている。このライン９０は、インク以外にもテープ等で表示されたものであってもよい。
【００３７】
このため、カート２を移動させて凹部２９にテーブル１の固定側天板１１を進入させるときにカート２の進入位置がずれたとしても、カート２の後部支柱２３２及び横桟２３３がカートガイド部材１６と当接することによって、カート２が左右方向に正しい位置に案内される。また、カート２を所定位置まで移動させると、テーブル１の固定側天板１１の縁端部１１ｄがストッパー５２に当接し、後側への移動が規制される。
【００３８】
次に、テーブル１に設けられる給電装置３０と、カート２に設けられる受電装置４０とからなる電源装置１０について、詳細に説明する。
図２に示すように、電源装置１０は、テーブル１に設けられた給電装置３０に対しカート２に設けられた受電装置４０を近接させ、給電側コイル３１と受電側コイル４１とが互いに対向する位置（以下「給電位置Ｋ」という）に配置することにより、給電側コイル３１の電流により生じる電磁誘導によって受電側コイル４１に電流を発生させることで非接触給電を行うものである。
【００３９】
図１および図５に示すように、給電装置３０は、周波数変換器を備えた給電側コイル３１（給電部）とスイッチ部３２とが薄型箱形状のカバー体３３に収納され、給電側コイル３１には電源ケーブル３４を介してテーブル１の固定側天板１１に設けられているコンセント３に接続されている。
【００４０】
図５に示すカバー体３３は、上面が開口になっており、図１に示す固定側天板１１の下面１１ｂの所定位置に固定されている。このカバー体３３には、上述した図１に示すカート２の凸部５１が進入可能な開口３３ａが設けられている。なお、凸部５１と開口３３ａとは、テーブル１とカート２とが組み合わせ位置Ｒに位置するときに互いの左右方向の位置が一致するように配置されている。
【００４１】
給電側コイル３１は、そのコイル給電面３１ａを下向きにして合成樹脂等の絶縁体の部材により形成されたカバー体３３に固定され形成されている。
また、図８（ａ）、（ｂ）に示すように、カバー体３３の下面３３ｂには、給電側コイル３１の固定側天板１１の縁端部１１ｄ寄りに、ブラシ３７が給電コイル３１の径幅と略同幅で左右方向に設けられており、固定側天板１１に対してカート２の凹部２９が進入し、給電側コイル３１と受電側コイル４１とが対向する際に、受電側コイル４１の上面（受電部の給電部と対向する側）に存在する例えばクリップ等の部材Ｓを除去できるようになっている。
【００４２】
図６に示すように、スイッチ部３２は、バネ部材３２１を備えた回転作動板３２２がそのバネ部材３２１の付勢に抗して回転したときに、その回転作動板３２２の作用端３２２ａでスイッチ３２３をオンにするスイッチ機構の他方を構成するものである。
【００４３】
回転作動板３２２は、カバー体３３の底面３３ｆに直交する方向の回転軸３２２ｃを中心に回転する平面視で略扇形状の回転板３２２Ａを有し、この回転板３２２Ａの周方向の一端（基端３２２ｂ）には回転板３２２Ａの半径方向外側に突出する張出し片３２２Ｂが設けられている。さらに、回転作動板３２２の円弧を形成する外周部には、張出し片３２２Ｂをカバー体３３の開口３３ａの位置、すなわち凸部５１の進入路を塞ぐ位置に配置させた状態で、付勢された前記バネ部材３２１が取り付けられている。つまり、回転作動板３２２は、開口３３ａからカバー体３３内に進入する凸部５１によって張出し片３２２Ｂが押圧され、これによりばね部材３２１の付勢に抗して回転軸３２２ｃを中心にして矢印Ｅ方向に回転し、二点鎖線の位置へ矢印Ｅ方向に回動する構成となっている。
【００４４】
スイッチ３２３は、レバー式のスイッチであり、レバー部３２３ａが回転作動板３２２の作用端３２２ａの位置によってオンオフの位置を選択的に取り得るものである。つまり、スイッチ３２３は、回転作動板３２２が回転していないときにはオフ状態であり、回転作動板３２２の回転により作用端３２２ａによってレバー部３２３ａが押圧されてオン状態となる。そして、スイッチ３２３がオンになるとき、給電側コイル３１に電流が流れるようになっている。
【００４５】
次に、受電装置４０は、図１および図７に示すように、整流器４１ａを備えた受電側コイル４１（受電部）と、受電側コイル４１に電圧変換器４３を介して接続されたバッテリユニット４２とが側面枠２３、２３の上端部に設けられた薄型箱形状のカバー体４４に収納され、バッテリユニット４２の出力側には移動側天板２０上で使用される電子機器に接続されるコンセント４５が接続されている。
【００４６】
受電側コイル４１は、そのコイル受電面４１ａを上向きにして合成樹脂等の絶縁体の部材により形成されたカバー体４４の下面に固定されており、図２に示すようにカート２がテーブル１に対して組み合わせ位置Ｒに位置した際に、給電側コイル３１のコイル給電面３１ａに間隔をもって対向する給電位置Ｋに位置するように設けられている。
【００４７】
バッテリユニット４２は、図７に示すようにバッテリ本体４２１と、受電側コイル４１より入力される電気を充電制御する充電制御部４２２と、バッテリ本体４２１から出力される電圧を制御する出力制御部４２３とを備えている。
【００４８】
また、図１に示すように、カバー体４４の前側面４４ａには、非接触給電状態を表示する給電表示部４６１と、バッテリユニット４２に対する充電状態を表示する充電表示部４６２とを備えた表示板４６が設けられている。給電表示部４６１および充電表示部４６２は、発光ダイオード（ＬＥＤ）が使用され、それぞれ図７に示す電圧変換器４３と充電制御部４２２に接続されて受信した信号に応じて点灯するようになっている。
【００４９】
このように構成される電源装置１０では、図２に示すように給電側コイル３１と受電側コイル４１とを対向させて受電装置４０を給電装置３０の給電位置Ｋに配置させると、給電装置３０において図５に示すスイッチ部３２のスイッチ３２３がオンになり、例えば交流１００Ｖの電気が直流電源により直流２４Ｖに変換されて給電側コイル３１に流れる。そして、給電側コイル３１の電流により生じる電磁誘導によって受電側コイル４１に電流が発生して非接触給電が行われる。さらに、受電装置４０において、受電側コイル４１で給電された電圧が電圧変換器４３で直流１７Ｖに変換されてバッテリ本体４２１に充電され、出力時には出力制御部４２３より直流１５Ｖに変換されてコンセント４５側に出力されることになる。
【００５０】
次に、上記の構成からなる什器システムＡ１によりカート２に給電する方法について説明する。
まず、図１に示すように、テーブル１から離れた場所にあるカート２を、ハンドル部２７、２７を把持してテーブル１付近まで移動させる。そして、カート２をライン９０、９０と側縁の方向を合わせることによりカート２の左右の側面枠２３、２３を固定側天板１１の下面１１ｂに設けられたカートガイド体１６、１６の間に向けてカート２をテーブル１の方向に押圧し、図２に示すように、凹部２９に固定側天板１１を挿入させる。
【００５１】
この際、図４に示すように、カートガイド体１６、１６の離間寸法Ｌは、その基端１６ａ側でカート２の側面枠２３、２３の外幅寸法Ｂよりも大きく設定され屈曲点１６ｂまで次第に小さくよう設定されているため、カート２の後側の左右両側縁枠２３、２３をカートガイド体１６、１６間に位置させてカート２を押せば、進入方向がずれ、あるいは、テーブル１とカート２との左右方向の相対位置関係がずれていたとしても、カート２の後部支柱２３２がカートガイド部材１６と当接することによって、カート２は左右方向に正しい位置に案内される。更にカートガイド体１６、１６は、屈曲点１６ｂから先端までカート２の左右方向の外幅寸法Ｂと略等しくなるように形成されているため、カート２は、カートガイド体１６、１６に案内されることにより、一方向を向いて的確に組み合わせ位置Ｒ方向に進入する。
【００５２】
このようにカート２をテーブル１に向かって進入させ、カート２の凹部２９に固定側天板１１を相対的に挿入させると、受電側コイル４１が給電側コイル３１の下方に進入する際に、図８（ｂ）に示すブラシ３７が受電側コイル４１の上面を通過し、該上面に存在する不要な物品Ｓを押しのけ除去する。
【００５３】
更にカート２をテーブル１側に押すと、図２に示すように、固定側天板１１の縁端部１１ｄがカート２の移動側天板２０の下面２０ｂに設けられたストッパー５２に当接してカート２のテーブル１側（後側）への進入が停止し、組み合わせ位置Ｒに位置したところで受電側コイル４１が給電側コイル３１に対向し、給電開始可能となる給電位置Ｋに位置する。
【００５４】
カート２が組み合わせ位置Ｒに位置すると、同時に、受電装置４０の上面に形成された凸部５１が給電装置３０のカバー体３３の開口部３３ａに嵌入し、スイッチ部３２がＯＮにされ、装置１０により非接触給電が開始される。この際、給電表示部４６１が点灯するとともに、非接触給電状態を示す充電表示部４６２が点灯する。
【００５５】
カート２に対して給電が行われている間は、カート２が組み合わせ位置Ｒに位置した時点でガイド体１６、１６に設けられた駒Ｑが、カート２の横桟２３２に設けられた係合穴Ｐに係合し、カート２が組み合わせ位置Ｒで不用意に動かないよう保持されるので、カート２に多少の外力が加わっても徒にテーブル１から離脱しないで給電状態が保持される。
【００５６】
上記のようにしてカート２を組み合わせ位置Ｒに載置しておき、給電中は、適宜組み合わせ位置Ｒで電子機器等を移動側天板２０上に載置して利用する等して一定時間経過すると、カート２のバッテリ４２への充電が完了し、充電表示部４６２の点灯が消える。
【００５７】
充電が完了した場合には、ハンドル２７を把持して前方側にカート２を引き出すことにより自動的にスイッチ部３２がＯＦＦになるので、そのまま必要な場所にカート２を移動させて再びテーブル１の組み合わせ位置Ｒ以外の位置で使用することが可能となる。
【００５８】
以上のように、什器システムＡ１によれば、カートガイド部材１６、１６により容易かつ確実にカート２をテーブル１の収容部１３に誘導し、カートガイド部材１６、１６の先端部及び駒Ｑ並びに係合穴Ｐによってカート２をテーブル１に整列させた状態でテーブル１にカート２を保持することができ、複数のカート２をテーブル１に載置する際に効率よくかつ簡単に整列載置させることができるという効果を奏する。
【００５９】
より具体的には、カートガイド部材１６、１６が収容部１３を形成するテーブル１の下面（天面）１１ｂから下方に垂下して設けられているため、カートガイド部材１６、１６が外部に露呈しにくく、什器システムＡ１としての体裁を良好にすることができるという効果を奏する
【００６０】
また、カートガイド部材１６、１６が左右方向に一対設けられているため、カート２のテーブル１への案内がより簡便になるとともに、一対のカートガイド部材１６、１６の導入部の離間寸法がカート２の幅寸法よりも大寸法に形成されているため、カート２をカートガイド部材１６、１６の導入部に大まかに進入させるだけでカートガイド部材１６、１６に沿ってテーブル１の収容部１３に確実に収容させることができ、高精度な位置決めが不要となるという効果を奏する。
【００６１】
また、カートガイド部材１６、１６の先端部がカート２の幅寸法に略等しい離間寸法とされているため、カート２をテーブル１の左右方向により確実に位置決めすることができるという効果を奏する。
【００６２】
また、テーブル１に複数のカート２を確実に位置決めして容易に整列、設置することができるという効果を奏する。  
【００６３】
また、ライン９０、９０により、カート２がテーブル１の収容部１３を容易に把握することができるため、より容易かつ確実にカート２をテーブル１に収容することができるという効果を奏する。
【００６４】
また、カート２がテーブル１に対して前後方向Ｘに位置決めされるため、カート２がテーブル１の収容部１３内に入り込み過ぎることを防止して、カート２をより適切な位置に設置することが可能となるという効果を奏する。
【００６５】
また、カート２をテーブル１の固定側天板１１と脚部１２Ａ、１２Ｂとにより形成された収容部１３に容易かつ簡便に収納させて設置することができ、またカート２をテーブル１に位置決めすることができるという効果を奏する。
【００６６】
また、カート２の凹部２９にテーブル１の固定側天板１１を挿入してカート２をテーブル１に設置することができるため、テーブル１にカート２を収容させた状態においてもカート２の移動側天板２０において作業を行うことができるという効果を奏する。
【００６７】
また、カート２がテーブル１に収容されて位置決めされた際に、固定側天板１１に設けられた給電側コイル３１とカート２に設けられた受電側コイル４１とが対向し、給電側コイル３１から受電側コイル４１への非接触給電を行うことができるため、カート２をテーブル１に位置決めして収容することにより整然とカート２を載置することができるとともに、確実な位置決めにより非接触給電を的確に行うことができ、カート２をより便宜的に使用することができるという効果を奏する。
【００６８】
また、カート２をテーブル１の組み合わせ位置Ｒに配置するだけで給電位置Ｋに配置され、簡便にカート２のバッテリ４２１に給電をすることができ、給電のための電源コードを必要としないため、床面Ｆ上をクリアにしてカート２及びテーブル１の周辺での移動、作業を行いやすくすることができる。また、什器システムＡ１を配置する室内の体裁を良好に維持することができるという効果を奏する。
【００６９】
また、テーブル１に給電装置３０を設け該テーブル１を床面Ｆ上に載置すれば給電装置３０を設置できるようにしたため、床面Ｆに直接給電部３０を配設することを回避することにより容易かつ安価に給電装置３０を配備することができるという効果を奏する。
【００７０】
また、カート２の凹部２９内に固定側天板１１を挿入させるとともに、カート２の収納部２２を固定側天板１１の下方に位置する収容部１３に収容させる組み合わせ位置Ｒに位置させ、カート２をテーブル１にコンパクトに設置することができる。更に、組み合わせ位置Ｒが給電位置Ｋと合致するよう構成されていることにより、カート２の移動側天板２０上で作業を行う際に同時に給電することができ、作業及び給電を同時に効率よく行うことができるという効果を奏する。
【００７１】
また、テーブル１の固定側天板１１の下面１１ｂに給電装置３０を設けたため、固定側天板１１上に給電装置３０を露呈させることを回避してテーブル１の体裁を良好にすることができるという効果を奏する。
【００７２】
また、什器システムＡ１においては、カート２の組合せ位置組み合わせ位置Ｒへの移動時に、受電側コイル３１の上面にある物品をブラシ３７により除去することができるため、受電側コイル４１の位置するカバー体４４上に導電性物材が載置され電源装置１０により発熱することを防止することができるという効果を奏する。
【００７３】
また、什器システムＡ１においては、給電装置３０のカバー体３３に開口が３３ａ形成され、カート２が組合せ位置組み合わせ位置Ｒに位置した際に、カート２側に開口３３ａに嵌入して電源がＯＮになる構成とされているため、給電開始が可能な状態になったら自動的に給電を開始させることができるという効果を奏する。
また、この際、給電表示部４６１により什器システムＡ１が非接触給電状態にあることを確認することができる。また、充電表示部４６２により充電状態を確認することができる。
【００７４】
また、カート２がテーブル１の給電位置Ｋに位置した際に互いに係合する駒Ｑと係合穴Ｐがカート２とテーブル１にそれぞれ形成されているため、給電中に、不用意な外力が加えられることによって意図せずカート２が給電位置Ｋからずれて給電が停止されることを防止することができる。
【００７５】
次に、本発明の什器システムによる他の実施の形態及び参考例について、添付図面に基づいて説明するが、上述の第１の実施の形態と同一又は同様な部材、構成には同一の符号を用いて説明を省略し、第１の実施の形態と異なる構成について説明する。
【００７６】
（参考例）
図９に示すように、参考例による什器システムＡ２は、上述した第１の実施の形態のテーブル１に代えて、棚部（物品収納部）７２の下方にカート２の一部を収容可能な収容部７１を有する給電装置３０を備えた固定式棚７０（固定什器）としたものである。
【００７７】
固定式棚７０の収容部７１は、左右方向の側板７３、７３と背面板７４と棚部７２の下面（天面７２ａ）とによって囲まれる空間を構成しており、カート２が進入出する前側が開口となっている。本固定式棚７０では、収容部７１において２台のカート２に同時に給電が行えるように２箇所の給電装置３０１、３０２が設けられている。
そして、棚部７２の前面下部には、ガイド部材７５、７５に対応して、カート２の収納位置を示すライン（表示部）９０、９０がインクにより引かれている。このライン９０は、インク以外にもテープ等で表示されたものであってもよい。
【００７８】
本参考例によるカート２の受電装置４０は、受電側コイル４１とバッテリユニット（図示省略）とが上述した第１の実施の形態のようにカバー体４４（図１参照）とともに一体的に収容される構成ではなく、それぞれが分離した位置に配置されている。受電側コイル４１は、コイル受電面４１ａの面方向を上方に向けて移動側天板２０の角部等に設置されている。また、凸部５１は、充電装置３０１の開口３０１ａに進入しうる高さで移動側天板２０上の前記開口３０１ａに対応する位置に形成され、バッテリユニット４２が側面枠２３、２３の上端部に配置された構成とされている。
【００７９】
参考例の形態による什器システムＡ２では、ガイド部材７５、７５の間にカート２を進入させることで、カート２の左右方向が位置決めされて所定の組み合わせ位置Ｒに案内され、固定式棚７０の給電側コイル３１とカート２の受電側コイル４１とが一定の隙間をもった状態で対向配置されて組み合わせ位置Ｒで非接触給電を行うことができる。
また、ライン９０、９０・・を設けたため、容易にカート２の位置合わせが可能となる。
【００８０】
上記参考例による什器システムＡ２によれば、固定式棚７０において棚部７２の下方にカート２の収容部７１を設けたため、棚部７２を有効に使用可能としつつ、カート２の不使用時に該カート２を固定式棚７０の収容部７１にコンパクトに収めて保管し、同時に非接触給電時を行うことができるという効果を奏する。
【００８１】
（第２実施の形態）
図１０（ａ）、（ｂ）に示すように、第２の実施の形態による什器システムＡ３は、上述した第１の実施の形態においてテーブル１の固定側天板１１の下面１１ｂに設けられる給電装置３０に対して、カート２側の移動什器に設けられる受電コイル４１を例えば図１に示すカート２の後側に回転可能に取り付け、受電装置４０の受電側コイル４１が非接触給電時にのみ固定側コイル３１に対向配置される構成としたものである。
【００８２】
カート２側の受電装置４０は、カバー体４４の一端がカート２の左右方向に回転軸Ｏを設け、この回転軸Ｏを中心に回転可能に支持されている。すなわち、カバー体４４は、その内部に収容されている受電側コイル４１のコイル受電面４１ａの面方向が鉛直方向から給電側コイル３１に対して対向配置となる水平方向へ移動させることができるように回転可能となっている。
【００８３】
これにより、受電側コイル４１のコイル受電面４１ａが水平方向となるのは給電時のみであり、給電時以外の通常時には鉛直方向に向けておくことができるので、コイル受電面４１ａに導電性の物品が配置されるのを防止することができ、これにより給電時であってもコイル給電面３１ａとコイル受電面４１ａとの間に導電性の物品が介在しにくくなる。
【００８４】
また、例えば、上記参考例において示したカート２において本実施形態の受信側コイル４１を適用すれば、移動側天板２０上に受信側コイル４１を配置させないで済むため、受電面４１ａに導電性物品を介在させ難くすることができるとともに、移動側天板２０上で電子機器を載置するなど該移動側天板２０を有効活用することができるという効果を奏する。
【００８５】
（第３実施の形態）
図１１（ａ）、（ｂ）に示すように、第３の実施の形態による什器システムＡ４は、物品を除去する除去手段として、第１の実施の形態の給電装置３０におけるブラシ３７に代えて、受電装置４０のカバー体４４に物品を排除するワイパー部８０を設けたものである。
【００８６】
ワイパー部８０は、受電装置４０のカバー体４４の両側面４４ｂ、４４ｂのそれぞれにスライド可能に支持された一対の支持部８１、８１と、一対の支持部８１、８１間に跨って設けられた本体部８２とを備えている。
【００８７】
一対の支持部８１、８１は、側面４４ｂ、４４ｂに沿って形成されており、その基端部内面側には、側面４４ｂ、４４ｂに向かって凸部（不図示）が形成され、該凸部が前後方向Ｘに沿って側面４４ｂ、４４ｂに形成された長孔３９、３９にスライド可能に嵌合されている。また、凸部は受電装置４０のカバー体４４内に備えられた不図示のバネに係合しており、ワイパー部８０が後側に付勢するようになっている。
【００８８】
支持部８１、８１の上部８１ｂ、８１ｂは、側面４４ｂ、４４ｂから上方に突出しており、該上部８１ｂ、８１ｂ間には本体部８２が連結されている。
【００８９】
本体部８２は、カバー体４４の上面４４ａに沿う摺動部８２ａと、摺動部８２ａから上方に向かって突出する突出部８２ｂとを備えて形成されている。この突出部８２ｂは、固定側天板１１の下面１１ｂに設けられた給電装置３０の前側の面に係合可能となる高さ寸法に形成されている。
【００９０】
上記の構成の下に、カート２をテーブル１側に押し、凹部２９内に固定側天板１１を挿入させると、給電装置３０のカバー体３３がワイパー部８０の本体部８２後側面に当接してワイパー部８０を前側方向に押圧し、ワイパー部８０が受電装置４０のカバー体４４の前側に向かって相対的に摺動することにより図１１（ｂ）に示すように、受電装置４０の上面に存在する物品Ｓを除去することができ、受電装置４０の上面に導電性の物品が配置されて電源装置１０の使用により発熱することを防止することができる。
【００９１】
なお、上記第１〜第３の実施の形態及び参考例においては、受電側コイル４１の上方のカバー体４４上における導電性物品の有無を検知する、例えば温度センサーのような検知手段を設け、更に電源装置１０が検知手段からの信号により電流の供給を停止させる停止手段を設けてもよい。
かかる検知手段及び停止手段を設けることによって、発熱によって導電性物品の存在を検知することできるとともに、電源装置１０が該検知手段からの信号により電流の供給を停止させるため、導電性物品が発熱するのを確実に防止し、非接触給電を行う電源装置１０を有する什器システムＡ１〜Ａ４の使用における安全性を高めることができる。
【符号の説明】
【００９２】
Ａ１〜４  什器システム
１      テーブル（固定什器）
２      カート（移動什器）
１０    電源装置
１１    天板
１１ｂ  下面（天面）
１２Ａ  脚部
１２Ｂ  脚部
１３    収容部
１６    カートガイド体（案内部）
３１    給電側コイル（給電部）
３２    スイッチ部
３７    ブラシ
４１    受電側コイル（受電部）
７１    収容部
５１    凸部
７２    物品収納部
７２ａ  下面
８０    ワイパー部
９０    ライン（表示部）
Ｐ      係合穴
Ｑ      駒
Ｆ      床面
【図１】
0005593148.tif 000002
【図２】
0005593148.tif 000003
【図３】
0005593148.tif 000004
【図４】
0005593148.tif 000005
【図５】
0005593148.tif 000006
【図６】
0005593148.tif 000007
【図７】
0005593148.tif 000008
【図８】
0005593148.tif 000009
【図９】
0005593148.tif 000010
【図１０】
0005593148.tif 000011
【図１１】
0005593148.tif 000012